(57)【要約】      （修正有）【課題】封止効果を確保確認できる医療用包装スリーブを提供する。【解決手段】片側が開いており、その開口部が封止プラグ５で閉じることができる、ほぼ円筒形のスリーブ本体２からなる、滅菌使用のための不正開封明示クロージャを備えた医療用包装スリーブ１であって、ここで、封止プラグ５の位置は、封止プラグ５にかみ合う、ほぼスリーブ状の不正開封明示クロージャで固定可能であり、ここで、不正開封明示クロージャを前記スリーブ本体２にラッチ可能であり、ここで、封止プラグ５は、スリーブ本体２の開口部に、ねじ込み式のねじ込み接続９、１０でねじ込み可能であり、且つ、封止プラグ５とスリーブ本体２との間の密封された回転位置を制御するための光学目視検査１３があり、ここで、不正開封明示クロージャが封止プラグ５に回転不能に接続され、且つ、封止プラグ５の密閉された回転位置でのみ前記スリーブ本体２にラッチできる。【選択図】図１
2020050446.tif 000002
【特許請求の範囲】
【請求項１】
片側が開いており、その開口部が封止プラグ（５）でしっかりと閉じることができる、ほぼ円筒形のスリーブ本体（２）からなる、滅菌使用のための不正開封明示クロージャ（２０）を備えた医療用包装スリーブ（１）であって、ここで、前記封止プラグ（５）の位置は、前記封止プラグ（５）にかみ合う、ほぼスリーブ状の不正開封明示クロージャ（２０，３０）で固定可能であり、ここで、前記不正開封明示クロージャ（２０）を前記スリーブ本体（２）にラッチ可能であり、
前記封止プラグ（５）は、前記スリーブ本体（２）の前記開口部に、ねじ込み式のねじ込み接続（９、１０；１６、１７）でねじ込み可能であること、及び
前記封止プラグ（５）と前記スリーブ本体（２）との間の密封された回転位置を制御するための光学目視検査（１３、１４、４４）があること、
前記不正開封明示クロージャ（２０、３０）が前記封止プラグ（５）にトルク耐性に接続され、且つ、前記封止プラグ（５）の密閉された回転位置でのみ前記スリーブ本体（２）にラッチできること、
を特徴とする、包装スリーブ（１）。
【請求項２】
前記光学目視検査（１３、１４、４４）により、前記封止プラグ（５）と当該包装スリーブ（１）の前記スリーブ本体（２）との間の第１のシール面（３６ａ、３６ｂ）が制御可能であることを特徴とする、請求項１に記載の包装スリーブ（１）。
【請求項３】
前記封止プラグ（５）と当該包装スリーブ（１）との間のシールされた端部位置が、触覚的に知覚可能な戻り止め位置（４５）によってさらに確認可能であることを特徴とする、請求項１又は２に記載の包装スリーブ。
【請求項４】
前記封止プラグ（５）と前記不正開封明示クロージャ（２０、３０）との間の前記トルク耐性な接続が、前記封止プラグ（５）が接続された手動トグル（６）から構成されており、前記手動トグル（６）は、前記不正開封明示クロージャ（２０、３０）の前額面(Stirnflaeche)の形状に適合した開口部（２７、３２）に係合することを特徴とする、請求項１〜３のいずれか一項に記載の包装スリーブ。
【請求項５】
少なくとも１つの軸方向に突出するセンタリング突起部（２６）が、前記不正開封明示クロージャ（２０、３０）の下部スリーブ部分（２２）に配置され、前記軸方向に突出するセンタリング突起部（２６）は、当該包装スリーブ（１）の周囲に配置され、上部が開いている関連するラッチ溝（１２）と一致させることができることを特徴とする、請求項１〜４のいずれか一項に記載の包装スリーブ。
【請求項６】
回転固定接続により、前記封止プラグ（５）の回転位置は、前記不正開封明示クロージャ（２０、３０）に移動可能であること、及び、前記封止プラグ（５）が前記スリーブ本体でチェックされた封止位置に結合されている場合にのみ、前記不正開封明示クロージャ（２０、３０）に前記スリーブ本体（２）に押し込むことが可能であることを特徴とする、請求項１〜５のいずれか一項に記載の包装スリーブ。
【請求項７】
前記封止プラグ（５）と当該包装スリーブ（１）との前記スリーブ本体（２）との間にマルチシール（３５、３６ａ、３６ｂ）が存在することを特徴とする、請求項１〜６のいずれか一項に記載の包装スリーブ。
【請求項８】
不正開封明示クロージャ（２０、３０）は、分割継ぎ目（２４、２５）によって互いに分離された２つのスリーブ部分（２１、２２）から構成され、前記スリーブ部分（２１、２２）は、断面積が減少した環状溝を介して互いに材料一体的に接続されており、且つ、引き裂きタブ（２３）によって分離可能であることを特徴とする、請求項１〜７のいずれか一項に記載の包装スリーブ。
【請求項９】
前記不正開封明示クロージャ（２０、３０）の下部スリーブ部分は、半径方向に弾性的に拡張可能な(aufweitbarer)切り欠きフランジ（２８）として設計され、前記切り欠きフランジ（２８）は傾斜した入口スロープ（２９）を含むことを特徴とする、請求項１〜８のいずれか一項に記載の包装スリーブ。
【請求項１０】
前記切り欠きフランジ（２８）は、前記スリーブ本体（２）の環状フランジ（８）上で半径方向に拡張可能である(aufweitbar)ことを特徴とする、請求項９に記載の包装スリーブ。
【発明の詳細な説明】
【技術分野】
【０００１】
本発明は、請求項１の前文に記載の医療用包装スリーブに関する。
【背景技術】
【０００２】
一般的なタイプの医療用包装スリーブは、例えばＥＰ１  ０５５  ６０９  Ｂ１の主題によって知られている。当該放送スリーブでは、雌ねじを備えた閉鎖蓋が包装スリーブ又は包装ボトルの雄ねじにねじ込まれ、薄いスポットによって前記蓋から取り外し可能なストリップが前記蓋の下側に形成される。前記蓋は、引き裂きタブと連動して、引き裂きタブが引き裂かれて開いたときに、前記包装スリープ又は前記包装ボトルから前記蓋を取り外すことがでる。
【０００３】
そのような既知の医療用スリーブの包装には、不正開封明示クロージャ(Originalitaetsverschluss)によって固定されている前記蓋と前記包装スリーブとの間のシール接続が、シールリングの対応するバイアスがないため、確実にシールしないという欠点がある。
【０００４】
既知のスリーブ包装の別の欠点は、前記ねじ込み式蓋と前記包装スリーブのスリーブ本体との間のシール接続のチェック(Kontrolle)がないことである。その結果、ネジ蓋が適切にしっかりとパッケージ本体にネジ止めされているかどうかを確認できない。
【０００５】
別の欠点は、シール面が閉鎖蓋の内側に軸方向にのみ配置され、及びしたがって光学的にチェックできないことである。このようなシール面の半径方向の配置は、この印刷物からは明らかではない。
【０００６】
しかし、放射状のシール面を設けることには、少なくとも部分的に透明な材料を使用する場合のシール試験の場合、それぞれのシールの破損を検出できるという利点があり、これは、使用されているガスケットの配置のために、ＥＰ  １  ０５５  ６０９  Ｂ１の主題では不可能である。
【０００７】
既知の構成の別の欠点は、前記不正開封明示クロージャが前記蓋と単一の材料一体部品を形成すること、及びしたがって、前記蓋と前記不正開封明示クロージャに関連するそのシールクロージャ(Dichtverschluss)の機能が分離されないこと、である。
【０００８】
したがって、第１の検査(Kontrolle)では、蓋をクロージャ本体にしっかりとねじ込んだりすること、もしくは押し込んだりすること、並びにシール効果を制御すること、及び第２のステップでやっと、この密閉された蓋の回転位置を固定し、且つ、不変に保つ前記不正開封明示クロージャを使用すること、は不可能である。これらの特徴はすべて、引用された印刷物からは明らかではない。
【０００９】
国際公開第２００９／１０９３１２  Ａ１号の主題により、取り付け保護を備えたさらなる医療用スリーブ包装が知られており、当該スリーブ包装の場合、最初に包装体がゴム栓で閉じられ、前記包装体に密封配置された前記ゴムプラグがスリーブ状の不正開封明示クロージャで固定されている。前記不正開封明示クロージャは、注射器シリンジバレルの滅菌クロージングに使用される。前記シリンジバレルには、スナップイン型の雌ねじアダプタを備えた外側コーンの形態のロック可能な円錐形接続がある。前記外側コーンはゴムプラグで閉じられている。前記不正開封明示クロージャは、前記ゴムプラグと安全キャップの上に被せられている。
【００１０】
これは、上部スリーブ部分が下部スリーブ部分から分離可能な、２つの部分からなる不正開封明示クロージャ(Originalitaetverschluss)に関わる。この場合、前記２つのスリーブ部分の間の接続は、周囲の引き裂きストリップではなく、断面が縮小された接続突起（Verbindungsnoppen）によって形成される。
【００１１】
したがって、前記引用された印刷物は、ゴムプラグによって滅菌シールされ、且つ保護スリーブ(Sicherungshuelse)によって固定されている、封鎖可能な円錐アダプターを備えた容器又は注射器の不正開封明示クロージャに関する。この場合、前記円錐アダプター封鎖に解けないように押し込められた前記保護スリーブは、保持部、ブレークオフ部、及びこれらの部間に位置するブレークオフゾーンから構成される。
【００１２】
欠点は、前記密閉スリーブで使用される前記ゴムプラグの密閉位置と密閉機能を制御できないことである。また、ねじシールではなく、プラグインシールであるため、外部シールリブを備えた前記ゴムプラグは、前記密閉スリーブにおけるネック状突起の内面に当接する必要がある。
【００１３】
さらに、この印刷物から、２つの部分からなる前記不正開封明示クロージャは、その下側の開口端にある下方にある切り欠きフランジ(Rastbund)で、前記包装スリーブの関連する切り欠きエッジ(Rastkante)にスナップ留めでき、これにより、前記包装スリーブ内の前記ゴムプラグの変位位置がそれも同時にチェックされることが知られている。
【００１４】
したがって、前記使用されるゴムプラグの閉鎖位置は、前記２つの部分からなる不正開封明示クロージャのスナップ留め可能性（Aufrastbarkeit）についてのみテストできる。前記封止プラグと前記包装スリーブとの間の特別な目視検査又は機械的位置保証（Lagensicherung）は提供されていない。
【００１５】
前記包装スリーブ上のこの位置のチェックによる前記封止プラグの機械的位置保証は、この印刷物からは明らかではない。
【００１６】
したがって、変形した封止プラグでは所望の封止効果が得られないこと、並びに、とにかくねじ込み接続をねじ込むことにより、医療用スリーブの包装における改善されたシール効果を達成する必要があること、及びそのため、特に医療用スリーブの包装を二重滅菌に設計する必要がある場合、プッシュシール接続(Schubdichtverbindung)が十分に安全ではないことがあり得る。
【００１７】
その他の点では、前記不正開封明示クロージャが使用されている場合でも、これだけがプッシュ又は差し込みプラグの位置保証を可能にするため、前記医療用スリーブの包装は機能しているだけであるというさらなる欠点がある。
【００１８】
前記不正開封明示クロージャを省略すると、前記包装は使用できなくなる。
【００１９】
その他の点では、当該印刷物は、前記封止プラグの特定の回転位置、差し込み位置、若しくは密封位置、又は特定の閉鎖位置を前記不正開封明示クロージャに移すこと、及びこれから位置保証を任意に処理させること、これにより、前記不正開封明示クロージャが前記プラグに適切かつ確実に接続されることが保証されること、ができない。
【発明の概要】
【発明が解決しようとする課題】
【００２０】
したがって、本発明は、国際公開第２００９／１０９３１２  Ａ１号からの、不正開封明示クロージャを備えた医療用スリーブ包装を開発するという目的に基づいており、その結果、封止効果を確保及び確認するための取り付け保護(Montagesicherung)が追加して提供される。
【００２１】
したがって、本発明の好ましい特徴は、独立請求項１の技術的特徴により、今まで不正開封明示クロージャの配置により、前記封止プラグが所定の位置に固定されているかどうか、且つ、前記包装スリーブ内に密封されているかどうか、を視覚的及び/又は機械的に確認できること、である。
【課題を解決するための手段】
【００２２】
さらに別の好ましい特徴によると、回転位置が、特に前記包装スリーブで正しく配置され且つ密封されている前記封止プラグのガスケット層(Dichtungslage)が、存在するかどうか、機械的及び/又は光学的に確認できる。
【００２３】
したがって、好ましい一実施形態において、本発明は、不正開封明示クロージャは、前記封止プラグの回転位置及び密封位置を制御できるように、前記封止プラグにトルク耐性に(drehfest)接続されていること、を意図する。
【００２４】
したがって、本発明の第１の実施形態によれば、前記封止プラグは、前記包装スリーブにねじシールコンパウンド（Gewindedichtverbindung）としてねじ込まれ、且つ、そこに第１のシール面を形成することが想定される。
【００２５】
このシール面の配置が制御可能であれば、この目的のために、本発明は必要な設計上の特徴を提供することが好ましい。
【００２６】
好ましい一変形例において、連続的に実行される制御チェーンがあり、その場合、前記封止プラグと前記包装スリーブとの間の回転位置は、光学封止検査(Dichtkontrolle)によって提供されることが好ましく、それにより、不正開封明示クロージャの配置に関係なく、ねじシールコンパウンド（Gewindedichtverbindung）を備えた前記封止プラグが、前記包装スリーブに、正しい配置で且つシールされて、ねじ込まれているかどうかを確認できる。したがって、前記光学的目視検査（Sichtkontrolle）により、前記封止プラグと前記包装スリーブとの間の第1のシール面が検査される。
【００２７】
本発明の一実施形態において、前記封止プラグと前記包装スリーブとの間の端部位置は、機械的な触覚的に知覚可能な戻り止め位置（Raststellung）、但しこれは特別な場合にのみ存在しなければならない、によってさらに確認できること、該とされる。他の場合には、この機械的戻り止め位置が排除され、したがって、前記封止プラグと前記包装スリーブとの間の前記端部位置の知覚される到達もまた省略され得ることが意図され得る。
【００２８】
本発明の特徴によれば、前記封止プラグと前記包装スリーブとの間の回転位置の最初の言及された光学的及び／又は機械的制御に基づいて、ここで、前記包装スリーブを備えた前記封止プラグの制御されたシーリング回転位置は、それとは別に適用可能な前記不正開封明示クロージャに移されることが想定される。
【００２９】
したがって、好ましい特徴によれば、前記封止プラグは前記不正開封明示クロージャにトルク耐性に(drehfest)接続さることが想定される。これは、例えば、前記不正開封明示クロージャと前記封止プラグとの間にそのようなトルク耐性接続を提供するために、前記不正開封明示クロージャの内側にある関連する受け口に、又はスロット開口部にトルク耐性に係合する、手動操作可能なトグル（Knebel）を前記封止プラグに取り付けることにより実行できる。
【００３０】
これには、前述の制御機能に基づき、今最初に、前記封止プラグと前記包装スリーブとの間の回転位置と密封位置との間の光学的及び／又は機械的制御により、前記封止プラグの位置固定された閉鎖位置が、今では前記不正開封明示クロージャに移されるという利点があり、且つ、本発明のさらなる発展形態において、前記包装スリーブと前記封止プラグとの間の前述の安全な回転接続が達成されたとき、前記不正開封明示クロージャは、装スリーブにのみ押し込み可能であること、及びこれでラッチ可能（verrastbar）であることが意図される。前記回転接続(sie)に達していない場合、スリーブ部品としての前記不正開封明示クロージャは、前記包装スリーブにスナップすることもできない。
【００３１】
これは、さらに好ましい特徴によれば、少なくとも１つの軸方向に突出するセンタリング突起部（Zentriernase）が、前記不正開封明示クロージャの下部スリーブ部分に配置され、前記軸方向に突出するセンタリング突起部（die）は、当該包装スリーブの周囲に配置され、上部が開いている関連するラッチ溝（Rastnut）と一致させることができることによって実現される。
【００３２】
前記少なくとも１つのセンタリング突起部が、前記不正開封明示クロージャの下縁で前記包装スリーブの周囲に配置された前記ラッチ溝と係合した場合にのみ、前記不正開封明示クロージャを前記包装スリーブにスナップできる。
【００３３】
したがって、前記包装スリーブに対して特定の回転位置においての前記不正開封明示クロージャが、これにスナップ可能であるようにする、前記包装スリーブと前記不正開封明示クロージャとの間の回転位置コード化キー接続のことである。
【００３４】
前記不正開封明示クロージャに配置され、且つ前記包装スリーブの外周の関連するラッチ溝にスナップ留め可能である、センタリング突起部を備えたこのようなキー位置の代わりに、他のキー割り当てもある。
【００３５】
最初に述べた実施形態の運動学的反転として設計された別の一変形例において、前記包装スリーブの外周には、前記不正開封明示クロージャの外周にある関連するラッチ溝と協働する、そのようなセンタリング突起部が配置されていることが考えられる。
【００３６】
同様に、別の一変形例において、例えば、それぞれの場合に、前記包装スリーブの外周の関連するラッチ溝に係合する、半径方向内側に向けられた放射状突起(radiale  Noppen)が、スリーブ部分の環状カラーの内周に形成されている。
【００３７】
半径方向に突出する突起(Noppen)の代わりに、前記不正開封明示クロージャのスリーブ部分又は前記包装スリーブの環状フランジ(Ringbund)のいずれかに、それぞれの場合に反対側の部分の関連するラッチ溝と協働する、軸方向に突出した突起を配置することも全く同様に可能である。
【００３８】
したがって、これは、前記不正開封明示クロージャは特定の回転位置でのみ前記包装スリーブにのみ押し込み可能であり、及びこれでラッチ可能（verrastbar）である、キー回転接続のことである。ここで、好ましい特徴によれば、前記封止プラグの回転位置は、前記不正開封明示クロージャに移され、そのため、前記不正開封明示クロージャを前記包装スリーブに押し込むこと(Aufschieben)は、前記封止プラグがそのチェックされた密封位置で前記包装スリーブと接続されている場合にのみ可能である。
【００３９】
これは、前記封止プラグと前記包装スリーブとの間のマルチシールのことであると、上で言及された。より正確には、前記封止プラグに関連する前記包装スリーブの前面上部の間に第1の前面シール面がある。ここで、好ましい一実施形態において、前記シール面は、２Ｋプロセスで前記封止プラグの残りのプラスチック材料と材料一体的に(werkstoffeinstueckig)接続された、追加のソフトシールリングとしても設計されることが想定される。
【００４０】
シーリングインサートに基づき、これにより、第１の滅菌バリアを提供する、弾性のあるエラストマー前面シール面が得られる。
【００４１】
他の２つの滅菌バリアは軸方向に閉じており、且つ、放射状に作用するように形成されている。それらはそれぞれ、前記包装スリーブのシーリングカラー(Dichtbund)の内側に対して半径方向外側に作成し、且つ、軸方向に前後に位置する2つのシール面を形成する、間隔をあけたシールリップ(Dichtlippen)によって形成される。したがって、前記医療用スリーブ包装は、無菌状態を長期間維持することで無菌性を確実に保証することを目的とする。
【００４２】
本発明による前記不正開封防止クロージャは、特定の回転位置でのみ前記包装スリーブに押し込み可能であるため、且つ、この回転位置も機械的に封鎖されており、及び制御可能であるため、押し込み嵌合（Schubmontage）が好ましい。したがって、スリーブ状の不正開封防止クロージャは、押し込み嵌合の意味で特定の回転位置でのみ包装スリーブ上に押し込み可能でありこと及びこれでラッチ可能であること、が想定される。
【００４３】
前記特定の密封回転位置は、前記不正開封明示クロージャのスリーブ部分の好ましくは下部環状周辺部に突出する、前記包装スリーブの外周にある関連する上方に開いた溝(Nut)に係合可能である、センタリング突起部の間の前述の機械的位置検査(Lagenkontrolle)により検査される。
【００４４】
この位置固定キー接続の代替実施形態は、すでに上で説明されている。
【００４５】
本発明の好ましい特徴によれば、不正開封防止クロージャの合計２つの形状が提案される。しかし、本発明はそれに限定されない。
【００４６】
第１の実施形態において、前記封止プラグは、前記封止プラグギャグの上部上面から軸方向に突出するトグル（Knebel）に接続されていることが意図されおり、ここで、前記トグル及び前記封止プラグの材料は、１つの材料一体部分からなることが好ましい。したがって、前記トグルはプラグと材料一体であり、且つ、トルク耐性に(drehfest)接続されている。
【００４７】
しかしながら、他の変形例において、前記トグルは、前記封止プラグの上面から分離されること、及び接着接続によって又はプラグイン接続又はラッチ接続によってこれに接続されていることが想定され得る。
【００４８】
以下では、前記トグルと前記封止プラグとのトルク耐性な(drehfesten)材料一体的な接続が想定され、且つ、さらなる特徴によれば、前記トグルが前記不正開封明示クロージャの位置保証を形成することが想定される。したがって、第１の実施形態において、それの上部上面には、前記トグルが通過するスロット開口部を含む、不正開封明示クロージャが想定される。そのため、前記封止プラグと前記不正開封明示クロージャとの間にトルク耐性な(drehfeste)位置保証が提供される。
【００４９】
前記不正開封明示クロージャから突出するトグルを配置すると、前記トグルを意図的にねじることにより、パッケージ化済み及び滅菌された包装で改ざんが行われた(manipuliert)ことがわかるという利点があり、且つ、これは、前記包装が使用できないことを示す。
【００５０】
本発明の特徴によれば、すなわち、前記それぞれの不正開封明示クロージャは、分割継ぎ目（Trennfugen）によって互いに分離された２つのスリーブ部分から構成されており、且つ、前記２つのスリーブ部分は、断面が縮小された環状溝を介して互いに材料一体的に接続されており、且つ、引き裂きタブ（Aufleisslasche）によって分離可能であること、そのため、前記引き裂きタブを分離するときに、前記上部スリーブ部分を下部から分離できるようすること、が想定される。
【００５１】
一方、前記トグルが前記上部スリーブ部分から突出しており、且つ、不注意で前記トグルを回転させた場合、前記分割継ぎ目が破れ、且つ、前記包装スリーブの改ざん(Manipulation)を検出できる。
【００５２】
本発明の別の実施形態によれば、その上部スリーブ部品を備えた前記不正開封明示クロージャは、前記密閉プラグのトグルを覆う内蔵型スリーブを形成することが想定されている。ここでこの場合、前記密閉プラグの前記トグルは、２つのリブによって互いに分離された関連する受容開口部において、所定の位置に固定され、且つトルク耐性に(drehfest)、但し外部から見えないように、保持される。
【００５３】
したがって、どちらの場合でも、封止プラグの回転位置を伝達する、且つこれにより、そのシール層が前記不正開封明示クロージャに転写される、且つ、不正開封明示クロージャが提案されている。そして、前記不正開封明示クロージャ自体は、特定の回転位置でのみ前記包装スリーブにスナップ留め可能(aufrastbar)である。
【００５４】
その結果、一方では、前記包装スリーブは不正開封明示クロージャなしでも使用可能であり、且つ、三重の無菌シール面が維持され、他方では、その様々な実施形態における前記不正開封明示クロージャは、本発明による包装スリーブと共に追加部品として使用することができ、及びしたがって、互いに別個に形成された好ましくは３つのシール面の維持に関して追加の制御機能が提供される。
【００５５】
特に、前記包装スリーブが透明なプラスチックから構成されている場合、上記の３つのシール面が適切に機能するかどうか、又は漏れがあるかどうか、真空チャンバー内のシールチェック(Dichtkontrollen)においてで確認できる。
【００５６】
前記不正開封明示クロージャは、好ましくは、ポリエチレン材料又はポリプロピレン材料から構成されており、これにより、その間に介在する断面希釈分割線を有する引き裂き開きタブが配置されることが保証される。
【００５７】
本発明の主題は、個々の請求項の主題からだけでなく、個々の請求項の相互の組み合わせからも生じる。
【００５８】
要約、開示された情報及び特徴を含めて、当該文書におけるすべて、特に、図面に示されている空間展開(raeumliche  Ausbildung)は、それらが従来技術に対して個別に、又は組み合わせて新規である限り、本発明に不可欠であると主張することができる。「実質的」又は「発明による」又は「発明に不可欠」という用語の使用は主観的であり、且つ、いわゆる特徴が必ずしも１つ又は複数のクレームの一部でなければならないことを意味するものではない。
【００５９】
以下では、本発明を、１つの実施形態のみを示す図面を参照してより詳細に説明する。ここにおいて、図面及びその説明から、本発明に不可欠なさらなる特徴及び本発明の利点が明らかになる。
【図面の簡単な説明】
【００６０】
【図１】図１は、前記封止プラグの密封位置における不正開封明示クロージャのない包装スリーブの斜視図を示す。
【図２】図２は、図１による封止プラグの側面図を示す。
【図３】図３は、図２による封止プラグの斜視図を示す。
【図４】図４は、封止プラグのない図１による包装スリーブの図を示す。
【図５−６】図５は、第１の実施形態における、封止プラグ及び不正開封明示クロージャを備えた包装スリーブの図を示す。  図６は、第２の実施形態における不正開封明示クロージャを備えた図５と同じ図を示す。
【図７−８】図７は、図６による不正開封明示クロージャの断面図を示す。  図８は、図５による不正開封明示クロージャの断面図を示す。
【図９−１０】図９は、図１による不正開封明示クロージャのない包装スリーブの断面を示す。  図１０は、図９による拡大断面図を示す。
【図１１−１２】図１１は、非固定位置に部分的に配置された不正開封明示クロージャを備えた図１０による断面図を示す。  図１２は、非固定位置にある不正開封明示クロージャの他の実施形態を備えた図１１と同じ図を示す。
【図１３】図１３は、不正開封明示クロージャのない図１による包装スリーブの側面斜視図を、前記封止プラグと前記包装スリーブとの間の固定位置(Sicherungsstellung)の表示によって示す。
【図１４−１５】前記不正開封明示クロージャの第１の実施形態間の機械的ロックの部分的固定位置を示しており、ここで前記トルク耐性な（drehfeste）接続はまだ生成されていない。  図１５は、第２の実施形態における前記不正開封明示クロージャを備えた図１４と同じ図を示す。
【図１６】図１６は、封止プラグと包装スリーブとの間の誤った回転位置の表示を示している。
【図１７−１８】図１７は、前記不正開封明示クロージャの第１の実施形態と前記包装スリーブとの間の誤った捩じれ位置(Verdrehlage)の表示を示している。  図１８は、前記不正開封明示クロージャの第２の実施形態と前記包装スリーブとの間の誤った回転位置の表示を示している。
【図１９】図１９は、第２の実施形態におけるスナップ留め済みの(fertig  aufterasteten)不正開封明示クロージャを備えた包装スリーブの固定位置を示す。
【図２０】図２０は、第１の実施形態における前記不正開封防止クロージャを備えた前記包装スリーブの完成した固定位置を示す。
【図２１】図２１は、異なる制御手段を備えた検査チェーンの直列配置を概略的に示している。
【図２２】図２２は、図２１による図を、これらの部品を接続するときのさまざまな関連する検査チェーンのシーケンスによって表している。
【発明を実施するための形態】
【００６１】
図１による包装スリーブ１は、本質的に中空円筒状のスリーブ本体２、好ましくは透明なプラスチックからなる。前記包装スリーブのタイプとその機能は、例えば、以前の特許出願ＤＥ  １０  ２０１５  ０１２  ８９８  Ａ１の主題である。
【００６２】
その説明は、以下の説明を参照して行われる。
【００６３】
前記スリーブ本体２は通常、丸い円筒形である。ただし、楕円形のボディとして設計することもできる。その場合、前記スリーブ本体の上端面及び下端面は、そこに円筒状にフランジ(Buenden)が形成されていると想定される。
スリーブボディの上端面と下端面は円筒形で、そこにフレットが付いています。
【００６４】
スリーブ本体２の底部は、底部で閉じられている円錐基部(Konusansatz)３によって形成されている。
【００６５】
前記円錐基部３の領域内において又は前記円錐基部３の領域にわたって、前記スリーブ本体２の外周を超えて半径方向に突出し、且つ、前記スリーブ本体２のロール保護を形成する、タブ形状の基部４が提供される。したがって、前記スリーブ本体２は格納平面の上で転がらないようにすべきである。このことは前記基部４によって防止される。
【００６６】
図２において、密閉プラグ５のない前記包装スリーブ１が示されている。前記密閉プラグ(Er)は実質的に上部シーリングカラー(Dichtbund)７から成り、その上部環状エッジ３８には、後で説明する密閉プラグ５に関して第１のシール面３９が形成される。
【００６７】
前記シーリングカラー７の領域において、光学的に認識可能なマーキング記号１３も配置されている。
【００６８】
シーリングカラー７には、直径が増大した環状フランジ(Ringbund)８が隣接し、その外周には、少なくとも１つ、好ましくは２つの相互に分離したラッチ溝(Rastnuten)１２が導入される。
【００６９】
前記環状フランジ８には、関連するねじ山間隔を有するねじ山１０が形成される、減少した直径のねじ山領域９によって軸方向に隣接している。
【００７０】
前記ねじ山領域９において、前記ねじ山領域９の周囲に凹んだ領域として形成された上方に開いたラッチ溝(Rastnut)１１が配置されている。
【００７１】
図２及び図３において、前記スリーブ本体２に密封方式で挿入される前記封止プラグ５がより詳細に示されている。前記封止プラグ５(Er)は、封止プラグ５を回転させるためのハンドルとしてプラスチック材料と実質的に一体であり、且つ、環状基部(Ringansatz)１９の領域においてこれと接続される、上部トグル６からなる。
【００７２】
前記環状基部１９の領域において、光学的に認識可能なマーキング記号１４が配置されており、これは前記スリーブ本体側マーキング記号１３と一致させられる。
【００７３】
前記環状基部１９の後には、間隔を空けて相互に平行なシーリングリップ15によって形成される、直径が減少した領域が続く。前記シーリングリップ１５は(die)、前記スリーブ本体２の関連する内面と共に、後述するシール面３６ａ、３６ｂを形成する。
【００７４】
前記シール面３６ａ、３６ｂに関するこの二重シール領域において、直径が縮小されたシールリング３５が続き、これは、ねじ山が形成されたねじ山基部(Gewindeansatz)１６に合流し、そこからねじ山間隔(Gewindegang)１７が見える。
【００７５】
前記ねじ山間隔１７の領域において、ねじ山付き領域９の前記スリーブ本体２の外周上の関連するラッチ溝（Rastnut）１１と協働するラッチ凹部(Rastvertifung)４３が形成される。
【００７６】
前記封止プラグ５の前記ねじ山１７が前記スリーブ本体２の関連するねじ山１０の正しい位置に押し込まれた場合にのみ、前記ラッチ凹部４３が前記ラッチ溝１１に係合し、及びしたがって、操作者は、触覚的に、回転運動において前記互いに係合するねじ山10、17が終点（Endanschlag）到達したことを触知可能である。
【００７７】
それと同時に前記包装スリーブ１の前記スリーブ本体２内の前記封止プラグ５の回転位置は、組み立て中に触覚的にチェックされる(kontrolliert)。
【００７８】
ただし、図１に示す光学検査への追加手段としてのみ想定される、このような触覚検査は不要である。
【００７９】
実際に、前記封止プラグ５と前記スリーブ本体２との間で正しい回転位置が達成される場合、図１に示すように、前記封止プラグに配置されたマーキング記号１４は、前記スリーブ本体２に配置されたマーキング記号１３の反対側にある。
【００８０】
封止プラグ５とスリーブ本体２との間のこの位置固定回転位置により、動作中の前記シーリングカラー７の内周の前記封止表面３６ａ、３６ｂ（図３参照）が同時に確保される。
この位置に固定された封止プラグ５とスリーブ本体２との間の回転位置により、動作中の封止カラー７の内周のシール面３６ａ、３６ｂ（図３参照）が同時に確保される。
【００８１】
一方ではマーキングシンボル１４、１５の一致によって達成され、もう一方では前記ラッチ凹部４３のラッチ溝１１への触覚係合によって達成可能である、このように調整された回転位置は、不正開封明示クロージャ２０、３０の両方の実施形態においてで前記固定位置(die  Sicherungsstellung)をチェックすることができ、且つ、確保することができる。
【００８２】
前記封止プラグ５が中空に形成されてること、及びプラグ端部１８が閉鎖部を形成しないことも追加される。前記封止プラグ５の閉鎖は、環状基部(Ringansatz)１９の領域において行われる。
【００８３】
図５及び６に戻ると、前記不正開封明示クロージャ２０の第１の実施形態は、断面が希釈された分割継ぎ目２４、２５によって互いに分離可能なプラスチック材料において材料一体である、２つの分離可能なスリーブ部分２１、２２から構成されると述べられている。ここで、前記２つの分割継ぎ目２４、２５は、前記引き裂きタブ２３がまだ作動していないときに引き裂き可能な引き裂きタブ２３によって相互接続されている。
【００８４】
図５による前記不正開封明示クロージャ２０と図６による前記不正開封明示クロージャ３０との違いは、図８によると、図５による前記不正開封防止クロージャ２０では、スロット開口部２７が上蓋領域に存在することにある。前記スロット開口部２７(welche)を介して、例えば、図１２の断面図に示すように、ねじれに対して固定されて(verdrehgesichert)前記トグル（Knebel）６の前記封止プラグ５に係合する。
【００８５】
しかしながら、図６による前記不正開封明示クロージャ３０の場合、上部スリーブ部３１は、図７に示されるように、回転に対して固定されて（drehgesichert）前記封止プラグ５のトグル６を内部に収容する内蔵型封止キャップによって形成される。
【００８６】
図７は、前記トグルは、上部スリーブ部３１の内側の収容開口部３３に収容されていることを示す。この場合、前記収容開口部は、軸方向内方に向けられた２つの離間したリブ(Rippen)３２によって形成されている。
【００８７】
両方の不正開封明示クロージャ２０、３０の場合、前記スリーブ本体２の外周上の前述のラッチ溝１２と協働する、少なくとも１つの軸方向に突出するセンタリング突起部２６が下部スリーブ部２２に設けられることもさらに識別可能である。
【００８８】
さらに、図７及び８の断面図から、前記不正開封明示クロージャ２０、３０の下部スリーブ部分２２は、傾斜した入口スロープ２９を含む、切り欠きフランジ（Rastbund）２８として形成されていることが分かる。そのため、図１４及び図１５に示すように、両方の不正開封明示クロージャ２０、３０が、プッシュフィットアセンブリの意味で（図１１及び１２を参照）前記スリーブ本体に押し込まれ、正しい位置で互いに接続される。
【００８９】
従って、前記固定位置（端部位置）において、前記不正開封明示クロージャ２０、３０の下部スリーブ部分２２の前記それぞれ少なくとも1つのセンタリング突起部２６は、前記スリーブ本体２の関連する上方に開いたラッチ溝１２に係合する。
【００９０】
図９と図１０は、前記封止プラグ5が2つの部分から部品として形成されるが、単一のプラスチック射出成形プロセスで製造されたことが識別可能であれば、回転位置の検査を備えた前記封止プラグ５の完成した封止位置を示している。前記封止プラグ５の外周には、図９及び図１０に従って材料が異なる環状突起部１９ｂが形成され、これは、材料が異なる前記上部環状突起部１９ａとともに材料一体部分を形成する。
【００９１】
したがって、図１０によれば、前記スリーブ本体２の環状エッジ３８と材料がより柔らかい環状基部１９ｂの関連エッジとの間に第１のシール面３９が形成される。
【００９２】
これに続いて、軸方向に２つの別個のシール面３６ａ、３６ｂが続く。
【００９３】
前記シール面の各々は、環状に取り囲んだシールリップ（Dichtlippe）１５によって形成されている。この場合、互いに平行に間隔を置いて配置され、環状に取り囲んだ前記シールリップは、材料がより柔らかい環状基部１９ｂにおいて成形されている。したがって、それらは、前記スリーブ本体２の内周に、前述の軸方向に分離されたシール面３６ａ、３６ｂを形成する。
【００９４】
拡大された環状フランジ(Ringbund)８は環状溝３７を形成するが、但し前記環状溝(die)は製造上の理由でのみ利用可能である。
【００９５】
前記環状溝３７の下方に、前記スリーブ本体２のねじ山１０と前記封止プラグ５のねじ山間隔１７との間の互いに噛み合うねじ山のねじ領域が配置されている。
【００９６】
図１１及び１２は、前記包装スリーブ１の前記スリーブ本体２との固定接続がまだ行われていない、前記２つの不正開封明示クロージャ２０、３０の作業位置を示している。したがって、前記切り欠きフランジ２８が前記環状フランジ８の上部にまだ着座していること、及び前記切り欠きフランジ２８は、前記環状カラー８の下側の前記切り欠きエッジ(Rastkante)４７とまだ係合していないことが識別可能である。
【００９７】
したがって、図１１及び図１２は、中間位置でそれらの位置が確保された戻り止め位置(Raststellung)に到達する前の両方の不正開封防止クロージャー２０、３０を示している。
【００９８】
したがって、さらなる移行するアセンブリにおいて、前記それぞれの不正開封明示クロージャ２０、３０は矢印方向４０に押し下げられ、及びしたがって、前記切り欠きフランジ２８は半径方向に拡張し、環状フランジカラー８上に達する。前記入口スロープ２９は前記環状フランジ８の上面上を摺動し、及びその後、前記環状フランジ８の前記切り欠きエッジ４７の位置保証された係合のために下部切り欠きフランジ２８をもたらす。
【００９９】
図１３は、前記封止プラグ５と前記包装スリーブ１の前記スリーブ本体２との間の光学的に検査可能な回転位置保証(Drehlagensicherung)を示している。なぜなら、前記封止プラグ５は、前記スリーブ本体２の前記マーカー記号１３に並置されたそのマーカー記号１４と共に運ばれなければならないことが分かるからである。
【０１００】
この回転位置に到達しない場合、前記２つのマーキング記号１３、１４が互いにずれていると、図１６に示すように、これにより光学的に検査可能な誤った配置(Falschstellung)が生じる。
【０１０１】
図１６による光学的に識別可能な誤った配置は、図１７と１８による説明に続く。なぜなら、図１６による誤った配置の前記それぞれの不正開封明示クロージャ２０、３０が前記封止プラグ５に配置されると、図１７及び図１８に示すように、軸方向に突出するセンタリング突起部２６がスリーブ本体側のラッチ溝１２と係合しないことが識別可能であるからである。
【０１０２】
これにより、誤ったアセンブリが除外される。
【０１０３】
この保証対策の理由は、前記封止プラグ５の前記トグル６が前記それぞれの不正開封明示クロージャ２０、３０にトルク耐性に接続されているためであり、且つ、図１６によるこの「間違った」回転位置では、そのセンタリング突起部２６によってスリーブ本体側のラッチ溝１２に係合できないためである。
【０１０４】
完全に製造された２つの固定位置は、図１９及び図２０に断面で示されている。前記不正開封明示クロージャ３０は、図１９において完全な固定位置で示されている。この場合、現在、前記固定位置は、スリーブ本体2に完全にねじ込まれ且つ封止プラグ5によってのみ生成可能であること、及び前記不正開封明示クロージャ３０の下部切り欠きフランジ２８のみが、前記スリーブ本体２の前記環状フランジ８の関連する切り欠きエッジ４７と係合することができるようになっていることが保証されている。
【０１０５】
同様に、図２０は、前記不正開封明示クロージャ２０の位置保証された戻り止め位置(Raststellung)を示している。
【０１０６】
前記封止プラグ５が前記スリーブ本体２に完全にねじ込まれていない場合、これは一方では２つのマーキング１３及び１４の対比の欠落によって示され、他方では図１６による隙間４２が前記スリーブ本体２と前記封止プラグ５との間に形成される。
【０１０７】
図２１は、本発明の様々な制御機構の連続を概略的に示している。
【０１０８】
第１の検査ステップでは、前記封止プラグ５と前記スリーブ本体２との間の前記マーキング記号１３、１４の対比が目視検査４４で確認される。
【０１０９】
前記機械的位置検査４５の第２の検査ステップでは、前記封止プラグ５に配置されたラッチ凹部４３は、前記スリーブ本体２の外周の関連するラッチ溝１１に触覚的に係合することによって、位置割り当ては、前記封止プラグ５と前記スリーブ本体２との間の触覚フィードバックによってさらに制御される。
【０１１０】
第３の検査ステップでは、更なる位置検査４６が形成される。これは、前記封止プラグ５と前記スリーブ本体２の間に正しい回転位置が生成されたとき、不正開封明示クロージャ２０、３０に配置された１つ以上のセンタリング突起部２６は、スリーブ本体側のラッチ溝１２とのみ係合させることができるということにより、前記不正開封明示クロージャ２０、３０と前記スリーブ本体２との間の確実な回転位置及び封止位置を確保する。
【０１１１】
図２２によれば、一連の検査ステップがある。この場合、前記封止プラグと前記スリーブ本体２との間の触覚的に感知可能な位置検査が第１の光学視覚検査４４の上にさらに存在することができるが、省くこともできる。
【０１１２】
ここで、前記封止プラグ５が前記不正開封明示クロージャ20、30によって回転位置が正しく覆われている場合にのみ、この位置検査が成功することは、前記不正開封明示クロージャと前記スリーブ本体２との間の機械位置検査４６に決定的に依存する。
【符号の説明】
【０１１３】
１  包装スリーブ
２  スリーブ本体
３  円錐基部(Konusansatz)
４  基部(Ringansatz)
５  封止プラグ
６  トグル
７  （１の）シーリングカラー
８  （１の）環状フランジ
９  ねじ山領域
１０  ねじ山
１１  （５のための）ラッチ溝
１２  （２０のための）ラッチ溝
１３  （１の）マーキング記号
１４  （５の）マーキング記号
１５  シールリップ(Dichtlippen)
１６  ねじ山基部(Gewindeansatz)
１７  （５の）ねじ山間隔(Gewindegang)
１８  プラグ端部
１９  環状基部ａ、ｂ
２０  不正開封明示クロージャ(Originalitaetsverschluss)
２１  スリーブ部分（上部）
２２  スリーブ部分（下部）
２３  引き裂きタブ
２４  分割継ぎ目、上部
２５  分割継ぎ目、下部
２６  センタリング突起部
２７  （６のための）スロット開口部
２８  切り欠きフランジ
２９  入口スロープ
３０  不正開封明示クロージャ(Originalitaetsverschluss)
３１  スリーブ部分（上部）
３２  リブ
３３  （６のための）収容開口部
３４  開口部
３５  （５の）シールリング
３６  シール面ａ、ｂ
３７  環状溝
３８  （１の）環状エッジ
３９  （３８の）シール面
４０  矢印方向
４１  （１から）停止面
４２  隙間
４３  （１１における５の）ラッチ凹部
４４  （１と５との間の）目視検査
４５  （１と５との間の）位置検査(Lagenkontrolle)
４６  （２０と３０と１との間の）位置検査
４７  （８の）切り欠きエッジ
【先行技術文献】
【特許文献】
【０１１４】
【特許文献１】ＥＰ１  ０５５  ６０９  Ｂ１
【特許文献２】国際公開第２００９／１０９３１２  Ａ１号
【図１】
2020050446.tif 000003
【図２】
2020050446.tif 000004
【図３】
2020050446.tif 000005
【図４】
2020050446.tif 000006
【図５−６】
2020050446.tif 000007
【図７−８】
2020050446.tif 000008
【図９−１０】
2020050446.tif 000009
【図１１−１２】
2020050446.tif 000010
【図１３】
2020050446.tif 000011
【図１４−１５】
2020050446.tif 000012
【図１６】
2020050446.tif 000013
【図１７−１８】
2020050446.tif 000014
【図１９】
2020050446.tif 000015
【図２０】
2020050446.tif 000016
【図２１】
2020050446.tif 000017
【図２２】
2020050446.tif 000018
【外国語明細書】
2020050446000001.pdf